(57)【要約】【課題】帳面の携帯性を損ねることなく、綴具のリーフの差し替えをし易くするために綴杆を開き易くする綴具の変位体及び帳面を提供することを主たる目的とする。  【解決手段】綴具の変位体は、複数の綴杆部１２と、複数の綴杆２０、３０を連結する連結部１４とを備える綴具１０の変位体であって、変位体は、貫通孔１１２を備える、表表紙１１６Ａと裏表紙１１６Ｂとであり、表表紙１１６Ａは、第１被押圧部１１６Ａ1を備え、及び／又は、裏表紙１１６Ｂは、第２被押圧部１１６Ｂ1を備え、変位体の貫通孔１１２に綴杆２０、３０を貫挿され、第１被押圧部１１６Ａ1及び／又は第２被押圧部１１６Ｂ1を、綴具の長手方向であって互いに向かって変位させるように押圧することによって、綴杆２０、３０を押圧し、一方の綴杆と他方の綴杆との相対位置を変位させて、綴杆係止部２２、３２を脱係させるように構成されている。【選択図】図１
2018058319.tif 000002
【特許請求の範囲】
【請求項１】
複数の綴杆部と、前記綴杆部を構成する複数の綴杆を連結するための連結部とを備える綴具の綴杆を変位させるための変位体であって、
前記綴杆部を構成する複数の綴杆は、前記綴具の長手方向に所定の一定の間隔をおいて、一対の連結部の各々から突設され、
前記綴杆部は、綴杆を閉鎖したときに係止するための綴杆係止部を形成され、
綴杆のうち、対向する一方の複数の綴杆は、同時に、綴具の長手方向に変位させ且つ対向する他方の複数の綴杆の綴杆係止部から、脱係するように構成され、
変位体は、少なくとも一方の綴杆に貫挿されるための貫通孔を備える、表表紙と裏表紙とであり、
表表紙は、綴具の長手方向における一端に綴杆を閉じる方向に向けて形成された第１被押圧部を備え、及び／又は、裏表紙は、綴具の長手方向における他端に前記表表紙の第１被押圧部とは反対方向に向き綴杆を閉じる方向に向けて形成された第２被押圧部を備え、
前記変位体の貫通孔に綴杆を貫挿され、
前記表表紙を、綴杆に沿って前記裏表紙の側まで回転させ、又は、前記裏表紙を、綴杆に沿って前記表表紙の側まで回転させ、
前記第１被押圧部及び／又は前記第２被押圧部を、綴具の長手方向であって互いに向かって変位させるように押圧することによって、前記変位体の貫通孔の側部によって、綴杆を押圧し、前記一方の綴杆と他方の綴杆との相対位置を変位させて、綴杆係止部を脱係させるように構成された、綴具の変位体。
【請求項２】
前記表表紙及び／又は前記裏表紙の貫通孔近傍の剛性が、前記表表紙及び／又は前記裏表紙の貫通孔近傍以外の部分の剛性よりも高くなるように構成された、請求項１に記載の綴具の変位体。
【請求項３】
前記表表紙及び／又は前記裏表紙の前記第１被押圧部及び／又は前記第２被押圧部が設けられている一端と綴具の長手方向の反対側の他端とに、かつ、貫通孔近傍に、前記第１被押圧部及び／又は前記第２被押圧部の押圧による変位長さに相当する深さの切り欠きが形成された、請求項１又は請求項２に記載の綴具の変位体。
【請求項４】
前記表表紙及び／又は前記裏表紙の前記第１被押圧部及び／又は前記第２被押圧部が、綴具の長手方向に向いて、前記表表紙及び／又は前記裏表紙の一端又は他端から延びるように、被押圧部材が付設され、又は、表表紙及び／又は裏表紙と一体的に形成された、請求項１ないし請求項３のいずれかに記載の綴具の変位体。
【請求項５】
綴具と、変位体と、を備える帳面であって、
前記綴具は、複数の綴杆により構成される綴杆部と、前記綴杆部を構成する複数の綴杆を連結するための連結部と、を有し、
前記綴杆部を構成する複数の綴杆は、前記綴具の長手方向に所定の一定の間隔をおいて、一対の連結部の各々から突設され、
前記綴杆部は、綴杆を閉鎖したときに係止するための綴杆係止部を形成され、
綴杆のうち、対向する一方の複数の綴杆は、同時に、綴具の長手方向に変位させ且つ対向する他方の複数の綴杆の綴杆係止部から、脱係するように構成され、
変位体は、少なくとも一方の綴杆に貫挿されるための貫通孔を備える、表表紙と裏表紙とであり、綴具の綴杆を変位させるように構成されており、
表表紙は、綴具の長手方向における一端に綴杆を閉じる方向に向けて形成された第１被押圧部を備え、及び／又は、裏表紙は、綴具の長手方向における他端に前記表表紙の第１被押圧部とは反対方向に向き綴杆を閉じる方向に向けて形成された第２被押圧部を備え、
前記第１被押圧部及び前記第２被押圧部は、少なくとも貫通孔より内側に入った長さと、表表紙及び裏表紙の厚さより若干長い厚さと、を備えた被押圧部材からなり、
被押圧部材は、貫通孔の近傍において、表表紙の端面の近傍又は裏表紙の端面の近傍に配設され、
前記変位体の貫通孔に綴杆を貫挿され、
前記表表紙を、綴杆に沿って前記裏表紙の側まで回転させ、又は、前記裏表紙を、綴杆に沿って前記表表紙の側まで回転させ、
前記第１被押圧部及び／又は前記第２被押圧部を、綴具の長手方向であって互いに向かって変位させるように押圧することによって、前記変位体の貫通孔の側部によって、綴杆を押圧し、前記一方の綴杆と他方の綴杆との相対位置を変位させて、綴杆係止部を脱係させるように構成され、
前記表表紙及び／又は前記裏表紙の貫通孔近傍の剛性が、前記表表紙及び／又は前記裏表紙の貫通孔近傍以外の部分の剛性よりも高くなるように構成され、
前記表表紙及び／又は前記裏表紙の前記第１被押圧部及び／又は前記第２被押圧部が、綴具の長手方向に向いて、前記表表紙及び／又は前記裏表紙の一端又は他端から延びるように、被押圧部材が付設され、又は、表表紙及び／又は裏表紙と一体的に形成された、帳面。
【発明の詳細な説明】
【技術分野】
【０００１】
本発明は、ファイリング用の綴具の変位体に関するものであり、特に、例えばセルリング式ノート又は綴じ穴のあるリーフを綴じるファイル・バインダ類の帳面（以下「帳面」という。）に用いられる綴具を開閉するための変位体である。
【背景技術】
【０００２】
特許第５１１２３４５号公報に記載の綴具の変位体は、綴具１０の第１綴杆２０の綴杆係止部２２と、第２綴杆３０の綴杆係止部３２と、を脱係する方向すなわち綴具１０の長さ方向において、綴杆係止部２２を向こう側（上方）に向けて、同時に、綴杆係止部３２を手前側（下方）に向けて移動（変位）させる変位体であって、向こう側端縁（上端縁）の綴具１０側近傍に第１摘み部１１６Ａ1が突設されている表表紙１１６Ａと、手前側端縁（下端縁）の綴具１０側近傍に第２摘み部１１６Ｂ1が突設されている裏表紙１１６Ｂと、から構成されている変位体である。
【先行技術文献】
【特許文献】
【０００３】
【特許文献１】特許第５１１２３４５号公報
【発明の概要】
【発明が解決しようとする課題】
【０００４】
特許第５１１２３４５号公報に記載の綴具１０及び綴具の変位体により構成された帳面の使用者は、表表紙と裏表紙とを、第１摘み部１１６Ａ1と第２摘み部１１６Ｂ1とを反対向きに引っ張ることにより、綴具の係止状態を解除する。
しかし、第１摘み部１１６Ａ1及び第２摘み部１１６Ｂ1は、帳面内側に向けて折り曲げることができるように構成されているとは言え、帳面の厚みを増大させ、又は、表表紙及び裏表紙から外側に突出することとなり、衣服のポケットや鞄等に入れて携帯されることの多い帳面の携帯性を損ねることとなるという問題があった。
【０００５】
そこで、本発明は、帳面の携帯性を損ねることなく、綴具のリーフの差し替えをし易くするために綴杆を開き易くする綴具の変位体及び帳面を提供することを主たる目的とする。
【課題を解決するための手段】
【０００６】
この発明に係る綴具の変位体は、
複数の綴杆部と、綴杆部を構成する複数の綴杆を連結するための連結部とを備える綴具の綴杆を変位させるための変位体であって、
綴杆部を構成する複数の綴杆は、綴具の長手方向に所定の一定の間隔をおいて、一対の連結部の各々から突設され、
綴杆部は、綴杆を閉鎖したときに係止するための綴杆係止部を形成され、
綴杆のうち、対向する一方の複数の綴杆は、同時に、綴具の長手方向に変位させ且つ対向する他方の複数の綴杆の綴杆係止部から、脱係するように構成され、
変位体は、少なくとも一方の綴杆に貫挿されるための貫通孔を備える、表表紙と裏表紙とであり、
表表紙は、綴具の長手方向における一端に綴杆を閉じる方向に向けて形成された第１被押圧部を備え、及び／又は、裏表紙は、綴具の長手方向における他端に表表紙の第１被押圧部とは反対方向に向き綴杆を閉じる方向に向けて形成された第２被押圧部を備え、
変位体の貫通孔に綴杆を貫挿され、
表表紙を、綴杆に沿って裏表紙の側まで回転させ、又は、裏表紙を、綴杆に沿って表表紙の側まで回転させ、
第１被押圧部及び／又は第２被押圧部を、綴具の長手方向であって互いに向かって変位させるように押圧することによって、変位体の貫通孔の側部によって、綴杆を押圧し、一方の綴杆と他方の綴杆との相対位置を変位させて、綴杆係止部を脱係させるように構成されている。
この発明の請求項２に係る綴具の変位体は、表表紙及び／又は裏表紙の貫通孔近傍の剛性が、表表紙及び／又は裏表紙の貫通孔近傍以外の部分の剛性よりも高くなるように構成されている。
この発明の請求項３に係る綴具の変位体は、表表紙及び／又は裏表紙の第１被押圧部及び／又は第２被押圧部が設けられている一端と綴具の長手方向の反対側の他端とに、かつ、貫通孔近傍に、第１被押圧部及び／又は第２被押圧部の押圧による変位長さに相当する深さの切り欠きが形成されている。
この発明の請求項４に係る綴具の変位体は、表表紙及び／又は裏表紙の第１被押圧部及び／又は第２被押圧部が、綴具の長手方向に向いて、表表紙及び／又は裏表紙の一端又は他端から延びるように、第１被押圧部材及び／又は第２被押圧部材が付設され、又は、表表紙及び／又は裏表紙と一体的に形成されている。
この発明の請求項５に係る帳面は、綴具と、変位体と、を備える帳面であって、
綴具は、複数の綴杆により構成される綴杆部と、綴杆部を構成する複数の綴杆を連結するための連結部と、を有し、
綴杆部を構成する複数の綴杆は、綴具の長手方向に所定の一定の間隔をおいて、一対の連結部の各々から突設され、
綴杆部は、綴杆を閉鎖したときに係止するための綴杆係止部を形成され、
綴杆のうち、対向する一方の複数の綴杆は、同時に、綴具の長手方向に変位させ且つ対向する他方の複数の綴杆の綴杆係止部から、脱係するように構成され、
変位体は、少なくとも一方の綴杆に貫挿されるための貫通孔を備える、表表紙と裏表紙とであり、綴具の綴杆を変位させるように構成されており、
表表紙は、綴具の長手方向における一端に綴杆を閉じる方向に向けて形成された第１被押圧部を備え、及び／又は、裏表紙は、綴具の長手方向における他端に表表紙の第１被押圧部とは反対方向に向き綴杆を閉じる方向に向けて形成された第２被押圧部を備え、
第１被押圧部及び第２被押圧部は、少なくとも貫通孔より内側に入った長さと、表表紙及び裏表紙の厚さより若干長い厚さと、を備えた被押圧部材からなり、
被押圧部材は、貫通孔の近傍において、表表紙の端面の近傍又は裏表紙の端面の近傍に配設され、
変位体の貫通孔に綴杆を貫挿され、
表表紙を、綴杆に沿って裏表紙の側まで回転させ、又は、裏表紙を、綴杆に沿って表表紙の側まで回転させ、
第１被押圧部及び／又は第２被押圧部を、綴具の長手方向であって互いに向かって変位させるように押圧することによって、変位体の貫通孔の側部によって、綴杆を押圧し、一方の綴杆と他方の綴杆との相対位置を変位させて、綴杆係止部を脱係させるように構成され、
表表紙及び／又は裏表紙の貫通孔近傍の剛性が、表表紙及び／又は裏表紙の貫通孔近傍以外の部分の剛性よりも高くなるように構成され、
表表紙及び／又は裏表紙の第１被押圧部及び／又は第２被押圧部が、綴具の長手方向に向いて、表表紙及び／又は裏表紙の一端又は他端から延びるように、第１被押圧部材及び／又は第２被押圧部材が付設され、又は、表表紙及び／又は裏表紙と一体的に形成されている。
【発明の効果】
【０００７】
本発明に係る綴具の変位体によれば、帳面の携帯性を損ねることなく、綴具のリーフの差し替えをし易くするために綴杆を開き易くすることができる。
請求項２に係る綴具の変位体によれば、指から綴具の長手方向であって綴具を開く向きにかけられた力が、より確実に綴具の綴杆に伝達され、より確実に綴杆を開くことができる。
請求項３に係る綴具の変位体によれば、第１被押圧部が指に押圧されたことにより表表紙が、連結部の中心に対して対称な位置にある第２被押圧部に指をかけられている裏表紙１１６Ｂに向かって変位した際に、第２被押圧部にかかる指に表表紙が圧接することがなくなる。同様に、第２被押圧部が指に押圧されたことにより裏表紙が、連結部の中心に対して対称な位置にある第１被押圧部に指をかけられている表表紙に向かって変位した際に、第１被押圧部にかかる指に裏表紙が圧接することがなくなる。よって、第１被押圧部と第２被押圧部とは、それぞれ指で押圧しやすくなる。したがって、より確実に綴杆を開くことができる。
請求項４に係る綴具の変位体によれば、表表紙及び／又は裏表紙の貫通孔近傍の剛性が、表表紙及び／又は裏表紙のそれ以外の部分の剛性より高くなる。これにより、より確実に綴杆を開くことができる。
請求項５に係る帳面によれば、指から被押圧部材に綴具の長手方向であって綴具を開く向きにかけられた力が、より確実に綴具の綴杆に伝達され、より確実に綴杆を開くことができる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】本発明に係る綴具の変位体と綴具で閉じられた帳面の斜視図である。
【図２】本発明に係る綴具の変位体である表表紙が、綴具の綴杆に沿って裏側まで、回転された状態の斜視図である。
【図３】図１のＡ矢視点からの帳面の側面図である。
【図４】図２のＢ矢視点からの帳面の側面図である。
【図５】表表紙の正面図又は裏表紙の背面図である。
【図６】表表紙の背面図又は裏表紙の正面図である。
【図７】表表紙と裏表紙とに、被押圧部材が溶着される状態を示す斜視図解図である。
【図８】綴具によって綴じられた帳面の正面図である。
【図９】綴具が表表紙と裏表紙とによって、変位し開いていく過程を示す平面図である。（Ａ）は、第１被押圧部と第２被押圧部とが押圧された直後の図である。（Ｂ）は、第１被押圧部と第２被押圧部とが押圧され、綴具の長手方向に変位した図である。（Ｃ）は、綴具が開いた状態の図である。
【図１０】は、綴具が表表紙と裏表紙とによって、変位する過程を示す平面断面図である。（Ａ）は、変位前の状態を示す図である。（Ｂ）は、第１被押圧部と第２被押圧部とが押圧された直後の図である。（Ｃ）は、第１被押圧部と第２被押圧部とが押圧され、綴具の長手方向に変位した図である。
【図１１】綴具の構造を示す図である。（Ａ）は、連結部側から見た斜視図解図である。（Ｂ）は、第１綴杆の綴杆係止部付近の斜視図である。（Ｃ）は、第２綴杆の綴杆係止部付近の斜視図である。
【図１２】手の指と、本発明に係る綴具の変位体とによって、帳面の綴具が開かれる状態を示した斜視図である。
【図１３】本発明に係る綴具の変位体の、第１の変形例の正面図である。
【図１４】本発明に係る綴具の変位体の、第２の変形例の正面図である。
【図１５】本発明に係る綴具の変位体の、第２の変形例の背面図である。
【図１６】本発明に係る綴具の変位体の、第３の変形例の正面図である。
【図１７】本発明に係る綴具の変位体と綴具で閉じられた帳面の方向を説明する図である。
【発明を実施するための形態】
【００１０】
本発明の実施形態に係る綴具の変位体を図面に基づいて説明する。以下では、方向を図１７のように、定義する。特に、この明細書及び特許請求の範囲において、本発明に係る綴具の変位体及び帳面における正面視とは、表表紙と裏表紙とが用箋を挟んで、表表紙と裏表紙と用箋とからなるリーフが綴具によって綴じられている状態において、表表紙側から帳面を見た場合の視点である。また、右向きとは、正面視において右向きのことである。左向きとは、正面視において左向きのことである。また、この明細書及び特許請求の範囲において、リーフは、用紙、合成樹脂製ポケット等の被綴じ物の総称である。なお、以下に示す実施の形態は本発明を具体化した一例であって、本発明の技術的範囲を限定するものではない。
【００１１】
図１は、この発明に係る綴具を用いた帳面の斜視図解図である。
この発明の綴具１０は、複数の綴杆部１２と、綴杆部１２を連結するための連結部１４と、綴杆部１２を構成する綴杆を開閉させるときの中心となる軸部１６とを備える綴具である。綴杆部１２を構成する綴杆は、第１綴杆２０と第２綴杆３０とで構成される一対の綴杆が向き合うように、連結部１４を構成する一対の連結部１４の各々にその長手方向に所定の一定の間隔をおいて、連結部１４の外側部ないし上側部から突設され、綴杆部１２は、軸部１６を中心にして左右に分かれた、対称形である第１綴杆２０及び第２綴杆３０を備える。つまり、綴杆部１２を構成する複数の綴杆は、綴具１０の長手方向に所定の一定の間隔をおいて、一対の連結部１４の各々から突設される。綴具１０は、第１綴杆２０と第２綴杆３０とを反対方向に向けて相対的に移動させ且つ捩って、閉じている綴杆部１２を開くことができるように構成されている。
この綴具１０は、主として、一般的にセルリング式ノートと称されるノートに類似した、手帳、メモ帳、ファイル等も含めた帳面用として構成され、綴具１０の綴杆部１２に沿ってリーフ１１０を回転させて３６０度広げること、すなわち綴杆部１２に綴じられたリーフ１１０を綴杆に沿って捲り、３６０度捲りかえし、閉じたときに両端にあるリーフ１１０の表側と裏側とが軸部１６を挟んで接し合うことができるように、構成されている。
通常、綴じ穴が形成され筆記するための用紙（用箋１１６Ｃ）であるリーフ１１０の表側１１０ａ及び裏側１１０ｂに用箋１１６Ｃよりも比較的硬質の表表紙１１６Ａ及び裏表紙１１６Ｂが積層されている。
【００１２】
連結部１４は、軸部１６を中心にして左右に分かれた、対称形である第１連結部５０及び第２連結部６０を備え、第１連結部５０及び第２連結部６０は、右側から左側に連続して長手方向に直線状にのびる略柱状である。
【００１３】
この実施の形態においては、第１綴杆２０及び第１連結部５０は、第１綴具部材１８Ａに形成され、第２綴杆３０及び第２連結部６０は、第２綴具部材１８Ｂに形成され、第１綴具部材１８Ａと第２綴具部材１８Ｂとは、対称形に形成されている。
【００１４】
連結部１４は、綴杆部１２に綴じられたリーフ１１０を第１綴杆２０及び第２綴杆３０に沿って回転させ、３６０度捲りかえし、閉じたときに両端にあるリーフ１１０の表側と裏側とが軸部１６を挟んで接し合うことができるように、下部において第１綴杆２０及び第２綴杆３０の基部と近接した位置に軸部１６を連設されている。
軸部１６は、連結部１４（第１連結部５０と第２連結部６０）の長手方向にのびて一対の連結部１４（第１連結部５０と第２連結部６０と）を連結し、第１綴杆２０の自由端２０ｂと第２綴杆３０の自由端３０ｂとを合わせて閉鎖するとき及び第１綴杆２０の自由端２０ｂと第２綴杆３０の自由端３０ｂとを離間させるときに回転中心となり、綴杆部１２に綴じられたリーフ１１０を第１綴杆２０及び第２綴杆３０に沿って捲り、３６０度捲りかえすことができるように構成されている。
軸部１６は、その中心近傍において、弾性部材であるコイルバネ１７を挿通している。コイルバネは、第１連結部５０と第２連結部６０とを、その長手方向に互いに反発するように、付勢している。
【００１５】
綴杆部１２は、第１綴杆２０及び第２綴杆３０の連結部１４に連設された基部２０ａ及び基部３０ａとは反対側の自由端２０ｂ及び自由端３０ｂに、第１綴杆２０及び第２綴杆３０を閉鎖したときに係止するための綴杆係止部を形成されている。すなわち、第１綴杆２０は、基部２０ａとは反対側の頂部である自由端２０ｂに第１綴杆の綴杆係止部２２を形成され、第２綴杆３０は、基部３０ａとは反対側の頂部である自由端３０ｂに第２綴杆の綴杆係止部３２を形成されている。
綴杆部１２は、基部２０ａ及び基部３０ａから頂部に至る高さ方向（垂直方向）と、第１綴杆２０の外周部（外側部）から第２綴杆３０の外周部（外側部）に至る幅方向（水平方向）とを備え、第１綴杆２０及び第２綴杆３０の厚さ（外周部と内周部との間の長さ）よりも、綴具の長さ方向における第１綴杆２０及び第２綴杆３０の幅の方が長い、断面長方形状である。そして、第１綴杆２０及び第２綴杆３０は、基部２０ａ及び基部３０ａから頂部に至るまで、リーフ１１０を捲ることができるように、リーフ１１０の綴じ穴１１２に貫挿される形状に構成されている。
第１綴杆の綴杆係止部２２及び第２綴杆の綴杆係止部３２は、係止する第１綴杆２０及び第２綴杆３０の回転方向と交差する方向に、すなわち軸部１６の長手方向に第１綴杆２０及び第２綴杆３０を相対移動して、第１綴杆２０及び第２綴杆３０の先端を合わせて閉鎖するときに係止し又は第１綴杆２０及び第２綴杆３０の先端を離間させるときに脱係するように形成されている。
【００１６】
第１綴杆２０は、閉じたときに略円環状の綴杆となるように、半円弧状の半割杆２０Ａから構成され、第２綴杆３０は、閉じたときに略円環状の綴杆となるように、半円弧状の半割杆３０Ａから構成され、第１綴杆２０と第２綴杆３０とは、対向するように構成されている。
そして、リーフ１１０に予め穿設された綴じ穴１１２に挿通して、リーフ１１０を綴じることができるように、半割杆２０Ａと半割杆３０Ａとの先端、すなわち第１綴杆２０及び第２綴杆３０の頂部において、綴杆係止部２２，３２が形成されている。
第１綴杆２０を構成する半割杆２０Ａと第２綴杆３０を構成する半割杆３０Ａとは、半割杆２０Ａの第１綴杆の綴杆係止部２２と、半割杆３０Ａの第２綴杆の綴杆係止部３２とを係止することにより、略円環状に連結される。
そして、第１綴杆２０と第２綴杆３０とは、その第１綴杆の綴杆係止部２２及び第２綴杆の綴杆係止部３２を外す方向に移動させることにより、第１の綴杆２０側のリーフ１１０と第２綴杆３０側のリーフ１１０とを逆方向に移動させて係止された第１綴杆の綴杆係止部２２及び第２綴杆の綴杆係止部３２を外すことができるように構成されている。
【００１７】
第１綴杆２０を構成する半割杆２０Ａの先端に形成された第１綴杆の綴杆係止部２２を構成する先端の第１綴杆の凸部及びその第１綴杆の凸部に続く第１綴杆の凹部と、第２綴杆３０を構成する半割杆３０Ａの第２綴杆の綴杆係止部３２を構成する先端の第２綴杆の凸部及びその先端の第２綴杆の凸部に続く第２綴杆の凹部とは、第１綴杆２０と第２綴杆３０とが高さ方向に脱係しないように、第１綴杆２０と第２綴杆３０とを閉じたとき係合するように逆方向に向けて突き出しあるいは凹み形成されている。
【００１８】
第１綴杆２０の綴杆係止部２２及び第２綴杆３０の綴杆係止部３２は、第１綴杆２０及び第２綴杆３０の回転方向に脱係しないように、第１綴杆２０及び第２綴杆３０の回転方向にのびる脱係防止部２８及び脱係防止部３８が形成されている。
脱係防止部２８は、頂部側において左側に向けて突き出る鉤鼻状係止凸部と、基部２０ａ側において右側に向けて凹む係止凹部とを有し、自由端側の係止凸部から続いて基部２０ａ側に係止凹部が形成されている。
脱係防止部３８は、頂部側において右側に向けて突き出る鉤鼻状係止凸部と、基部３０ａ側において左側に向けて凹む係止凹部とを有し、自由端側の係止凸部から続いて基部３０ａ側に係止凹部が形成されている。
第１綴杆２０と第２綴杆３０とを閉じたとき、脱係防止部２８の係止凸部は脱係防止部３８の係止凹部に嵌合され、脱係防止部３８の係止凸部は脱係防止部２８の係止凹部に嵌合され、係止凸部と係止凸部とは、第１綴杆２０と第２綴杆３０とを回転方向に引いたときに、突き当たる。
弾性部材であるコイルバネ１７により、第１綴杆２０と第２綴杆３０とは、綴杆係止部２２及び綴杆係止部３２によって、係止された状態を保持することができる。
【００１９】
つまり、第１綴杆２０の綴杆係止部２２と、第２綴杆３０の綴杆係止部３２とは、回転方向には脱係防止部２８及び脱係防止部３８により、さらに、高さ方向には第１綴杆２０先端の凸部、凹部、第２綴杆３０先端の凸部及び凹部により、係止された状態となり、脱係することはない。
一方、第１綴杆２０の綴杆係止部２２と、第２綴杆３０の綴杆係止部３２とは、長さ方向（綴具１０の長手方向）のうち、一方向には脱係防止部２８及び脱係防止部３８により係止された状態となるものの、他方向には、コイルバネ１７により反発力を受けるだけで、それに抗う力を及ぼされると、係止状態は解除される。
よって、表表紙１１６Ａと裏表紙１１６Ｂとから、綴具１０の綴杆２０、３０に綴具１０の長手方向の力を受け変位すると、第１綴杆２０と第２綴杆３０の係止状態は解除される。
つまり、綴杆のうち、対向する一方の複数の綴杆は、同時に、綴具１０の長手方向に変位させ且つ対向する他方の複数の綴杆の綴杆係止部から、脱係するように構成されている。
【００２０】
綴具１０は、第１綴杆２０及び第２綴杆３０に、リーフ１１０の幅方向に所定の一定の間隔をあけて連続して設けられた貫通孔１１２（綴じ穴１１２）を貫挿し、綴じ穴１１２と連結部１４との間に第１綴杆２０及び第２綴杆３０が架け渡されるようにして、リーフ１１０を綴じ、帳面を構成する。
【００２１】
リーフ１１０は、表表紙１１６Ａと、裏表紙１１６Ｂと、それらとの間に挟まれた筆記用の用箋１１６Ｃと、を備えている。表表紙１１６Ａ、裏表紙１６Ｂ及び用箋１１６Ｃは、綴具の綴杆が貫挿される貫通孔１１２（綴じ穴１１２）が形成されている。
【００２２】
表表紙１１６Ａは、リーフ１１０の用箋１１６Ｃよりも比較的硬質の材料であり、例えば、ポリプロピレンを材料として形成されている。
表表紙１１６Ａは、第１綴杆２０の綴杆係止部２２を脱係する方向すなわち綴具１０の長さ方向における右側に向けて、移動させる変位体を構成しており、その左側端縁の綴具１０側近傍に第１被押圧部１１６Ａ1が設けられている。
つまり、表表紙１１６Ａは、綴具１０の長手方向における一端に綴杆を閉じる方向（係止する方向）に向けて形成された第１被押圧部１１６Ａ1を備える。
裏表紙１１６Ｂは、リーフ１１０の用箋１１６Ｃよりも比較的硬質の材料であり、例えば、ポリプロピレンを材料として形成されている。
裏表紙１１６Ｂは、第２綴杆３０の綴杆係止部３２を脱係する方向すなわち綴具１０の長さ方向における左側に向けて、移動させる変位体を構成しており、その右側端縁の綴具１０側近傍に第２被押圧部１１６Ｂ1が設けられている。
つまり、裏表紙１１６Ｂは、綴具１０の長手方向における他端に表表紙１１６Ａの第１被押圧部１１６Ａ1とは反対方向に向き綴杆を閉じる方向（係止する方向）に向けて形成された第２被押圧部１１６Ｂ1を備える。
変位体は、綴具１０の綴杆である第１綴杆２０と第２綴杆３０とを変位させる。変位体は、少なくとも一方の綴杆に貫挿されるための貫通孔１１２を備える、表表紙１１６Ａと裏表紙１１６Ｂとである。
表表紙１１６Ａ及び裏表紙１１６Ｂの形状は、方形であり、上端縁と下端縁とは並行であり、左側端縁と右側端縁とは切り欠き部分を除いて、並行である。後述する複数の貫通孔１１２から構成される貫通孔群１１２Ｇの直列する方向は、表表紙１１６Ａ及び裏表紙１１６Ｂの上端縁及び下端縁に平行である。また、表表紙１１６Ａ及び裏表紙１１６Ｂの上端縁及び下端縁は、表表紙１１６Ａ及び裏表紙１１６Ｂの貫通孔群１１２Ｇに、後述する第１綴杆群２０Ｇ又は第２綴杆群３０Ｇが貫挿され、綴具１０が帳面の上側に配設されている場合において、貫通孔群１１２Ｇと第１綴杆群２０Ｇ又は第２綴杆群３０Ｇとが平行に配設される。つまり、綴具１０の長手方向と表表紙１１６Ａ及び裏表紙１１６Ｂの上端縁及び下端縁（帳面の幅方向）とは、平行である。表表紙１１６Ａ及び裏表紙１１６Ｂの剛性は、後述するコイルバネ１７により付勢され第１綴杆２０及び第２綴杆３０に生じる綴具１０の長手方向の力に抗うように、後述する第１被押圧部１１６Ａ1及び第２被押圧部１１６Ｂ1に指によりかけられた力に押圧されても、変形しない程度の剛性である。表表紙１１６Ａ及び裏表紙１１６Ｂが、例えばポリプロピレンを材料として形成されている場合には、貫通孔近傍において０．６ｍｍ以上の厚みを有していることが好ましい。
【００２３】
第１被押圧部１１６Ａ1は、表表紙１１６Ａの綴具１０側隅部の左側端縁より、表表紙１１６Ａを第１綴杆２０の綴杆係止部２２を脱係する方向である右側に向けて、指で押圧することができる形状を備えた被押圧部材１１１６Ａによって構成されている。図６に示すように、第１被押圧部１１６Ａ1及び第２被押圧部１１６Ｂ1は、それぞれ、少なくとも綴具１０の長手方向（帳面の幅方向）に向ける端より帳面の幅方向に若干内側に入った幅と、貫通孔１１２より帳面の高さ方向に若干内側に入った長さと、表表紙１１６Ａ及び裏表紙１１６Ｂの厚さより若干長い厚さと、を備えた被押圧部材１１１６Ａ、１１１６Ｂによって構成されている。
表表紙１１６Ａに形成されている複数の貫通孔１１２は、それぞれ側部１１２Ｓを有している。それぞれの貫通孔１１２の側部１１２Ｓは、表表紙１１６Ａの第１被押圧部１１６Ａ1に指からかけられ押圧された力が表表紙１１６Ａにより伝達され、綴具１０の複数の第１綴杆２０の基部２０ａの側面を、長さ方向（綴具１０の長手方向）であって綴具１０を係止解除する方向にそれぞれ押圧する。これにより、第１綴杆２０の綴杆係止部２２は、第２綴杆３０の綴杆係止部３０から脱係するように、複数の第１綴杆２０は複数の第２綴杆３０との相対位置から変位する。
【００２４】
被押圧部材１１１６Ａ、１１１６Ｂは、表表紙１１６Ａ及び裏表紙１１６Ｂを形成する材料よりも、硬質性の材料であることが好ましい。
図７に示すように、被押圧部材１１１６Ａ、１１１６Ｂは、それぞれ、指当接部１１１６Ａａ、１１１６Ｂａと、表紙固定部１１１６Ａｂ、１１１６Ｂｂと、Ｌ字角部１１１６Ａｃ、１１１６Ｂｃと、を有し、合成樹脂で一体に形成されている。
指当接部１１１６Ａａ、１１１６Ｂａは、帳面１０の高さ方向に沿って上下に延びる角柱状の形状に形成されている。指当接部１１１６Ａａ、１１１６Ｂａは、指に当接されることで、指から力を受け、押圧された力を第１被押圧部１１６Ａ1、第２被押圧部１１６Ｂ1から表表紙１１６Ａ、裏表紙１１６Ｂに伝達する。
表紙固定部１１１６Ａｂ、１１１６Ｂｂは、それぞれ、少なくとも綴具１０の長手方向に向ける端より帳面の幅方向に若干内側に入った幅と、貫通孔１１２より帳面の高さ方向に若干内側に入った長さと、表表紙１１６Ａ及び裏表紙１１６Ｂの厚さより若干長い厚さと、を備えた略板状の形状に形成されている。表紙固定部１１１６Ａｂ、１１１６Ｂｂは、表裏方向から見て、Ｌ字形の形状に形成されている。表紙固定部１１１６Ａｂ、１１１６Ｂｂは、表表紙１１６Ａ、裏表紙１１６Ｂに面接触し、被押圧部材１１１６Ａ、１１１６Ｂを表表紙１１６Ａ、裏表紙１１６Ｂに固定する。
Ｌ字角部１１１６Ａｃ、１１１６Ｂｃは、指当接部と表紙固定部との接続部分である。Ｌ字角部１１１６Ａｃ、１１１６Ｂｃは、帳面の高さ方向（上下方向）から見て、Ｌ字形の形状に形成されている。Ｌ字角部１１１６Ａｃ、１１１６Ｂｃの、指当接部と表紙固定部との接続により内側に形成される稜線が、表表紙１１６Ａ、裏表紙１１６Ｂの上側端縁近傍の、帳面の幅方向端縁に当接する。
被押圧部材１１１６Ａ、１１１６Ｂの形状は、上記の指当接部１１１６Ａａ、１１１６Ｂａと、表紙固定部１１１６Ａｂ、１１１６Ｂｂと、Ｌ字角部１１１６Ａｃ、１１１６Ｂｃと、の形状から、少なくとも貫通孔１１２より内側に入った長さと、表表紙１１６Ａ及び裏表紙１１６Ｂの厚さより若干長い厚さと、を備えた形状である。
【００２５】
被押圧部材１１１６Ａは、表面側に突き出されるように、貫通孔の近傍であって、表表紙１１６Ａの上側端面の近傍かつ左側端面の近傍に配設される。また、被押圧部材１１１６Ａは、表表紙１１６Ａ及び／又は裏表紙１１６Ｂの第１被押圧部１１６Ａ1及び／又は第２被押圧部１１６Ｂ1が、綴具１０の長手方向に向いて、表表紙１１６Ａ及び／又は裏表紙１１６Ｂの一端又は他端から延びるように、付設されていてもよい。第１被押圧部１１６Ａ1の被押圧部材１１１６Ａの形状は、表表紙１１６Ａが帳面の表側に配置している場合において、例えば、表側から見て、帳面１０の高さ方向（上下）に延びた指当接部１１１６Ａａが矩形であり、裏側から見て、表紙固定部１１１６Ａｂが略Ｌ字を左右反転させた形状であり、表紙固定部１１１６Ａｂが表表紙１１６Ａの上端縁から下に向かって貫通孔１１２を超えて延び、さらに当該位置から右側（綴具１０の長手方向）に延びた形状である。被押圧部材１１１６Ａの表紙固定部１１１６Ａｂは、表表紙１１６Ａに、超音波溶着されていることが好ましい。これにより、被押圧部材１１１６Ａが確実に表表紙１１６Ａに固定され、第１被押圧部１１６Ａ1に指によりかけられ押圧された力は、確実に表表紙１１６Ａに伝達される。
被押圧部材１１１６Ｂは、裏面側に突き出されるように、貫通孔の近傍であって、裏表紙１１６Ｂの上側端面の近傍かつ右側端面の近傍に配設される。また、被押圧部材１１１６Ｂは、表表紙１１６Ａ及び／又は裏表紙１１６Ｂの第１被押圧部１１６Ａ1及び／又は第２被押圧部１１６Ｂ1が、綴具１０の長手方向に向いて、表表紙１１６Ａ及び／又は裏表紙１１６Ｂの一端又は他端から延びるように、付設されていてもよい。第２被押圧部１１６Ｂ1の被押圧部材１１１６Ｂの形状は、裏表紙１１６Ｂが帳面の裏側に配置している場合において、例えば、裏側から見て、上下に延びた指当接部１１１６Ｂａが矩形であり、表側から見て、表紙固定部１１１６ＢｂがＬ字を左右反転させた形状であり、表紙固定部１１１６Ｂｂが裏表紙１１６Ｂの上端縁から下に向かって貫通孔１１２を超えて延び、さらに当該位置から左側（綴具１０の長手方向）に延びた形状である。被押圧部材１１１６Ｂの表紙固定部１１１６Ｂｂは、裏表紙１１６Ｂに、超音波溶着されていることが好ましい。これにより、被押圧部材１１１６Ｂが確実に表表紙１１６Ｂに固定され、第２被押圧部１１６Ｂ1に指によりかけられ押圧された力は、確実に裏表紙１１６Ｂに伝達される。
【００２６】
第１被押圧部１１６Ａ1の被押圧部材１１１６Ａと、第２被押圧部１１６Ｂ1の被押圧部材１１１６Ｂとは、表表紙１１６Ａを第１綴杆２０に沿って裏表紙１１６Ｂの側まで回転させ、又は、裏表紙１１６Ｂを第２綴杆３０に沿って表表紙１１６Ａの側まで回転させた場合においては、連結部１４の中心に対して対称な位置に配設されるように構成されている。
【００２７】
表表紙１１６Ａ及び裏表紙１１６Ｂは、綴具１０により綴られる用箋１１６Ｃの表裏方向から見た形状と同一の形状である。表表紙１１６Ａ及び裏表紙１１６Ｂは、表表紙１１６Ａ及び／又は裏表紙１１６Ｂの第１被押圧部１１６Ａ1及び／又は第２被押圧部１１６Ｂ1が設けられている一端と綴具１０の長手方向の反対側の他端とに、かつ、貫通孔近傍に、第１被押圧部１１６Ａ1及び／又は第２被押圧部１１６Ｂ1の押圧による変位長さに相当する深さの切り欠きである第１切欠部１１６Ａ2、第２切欠部１１６Ｂ2、第３切欠部１１６Ａ3、第４切欠部１１６Ｂ3が形成されている。表表紙１１６Ａは、綴具１０の長手方向の左側端に第１切欠部１１６Ａ2が形成され、右側端に第３切欠部１１６Ａ3が形成されている。第１切欠部１１６Ａ2、第２切欠部１１６Ｂ2、第３切欠部１１６Ａ3、第４切欠部１１６Ｂ3の表裏方向から見た時の形状は、帳面の高さ方向の上端から帳面の幅方向の側端へ曲がる略Ｌ字形の凹状であるように、表表紙１１６Ａ及び裏表紙１１６Ｂに形成されている。裏表紙１１６Ｂは、綴具１０の長手方向の右側端に第２切欠部１１６Ｂ2が形成され、左側端に第４切欠部１１６Ｂ3が形成されている。表表紙１１６Ａの第１切欠部１１６Ａ2は被押圧部材取付部１１６Ｄ1を構成する。裏表紙１１６Ｂの第２切欠部１１６Ｂ2は被押圧部材取付部１１６Ｄ2を構成する。表表紙１１６Ａの被押圧部材取付部１１６Ｄ1は、第１被押圧部１１６Ａ1の被押圧部材１１１６ＡのＬ字角部１１１６Ａｃに当接する。被押圧部材取付部１１６Ｄ1が形成する切り欠きの深さに、被押圧部材１１１６Ａの指当接部１１１６Ａａが、略収納される。裏表紙１１６Ｂの被押圧部材取付部１１６Ｄ2は、第２被押圧部１１６Ｂ1の被押圧部材１１１６ＢのＬ字角部１１１６Ｂｃに当接する。被押圧部材取付部１１６Ｄ2が形成する切り欠きの深さに、被押圧部材１１１６Ｂの指当接部１１１６Ｂａが、略収納される。
これにより、第１被押圧部１１６Ａ1が指に押圧されたことにより表表紙１１６Ａが、連結部１４の中心に対して対称な位置にある第２被押圧部１１６Ｂ1に指をかけられている裏表紙１１６Ｂに向かって変位した際に、第２被押圧部１１６Ｂ1にかかる指に表表紙１１６Ａが圧接することがなくなる。同様に、第２被押圧部１１６Ｂ1が指に押圧されたことにより裏表紙１１６Ｂが、連結部１４の中心に対して対称な位置にある第１被押圧部１１６Ａ1に指をかけられている表表紙１１６Ａに向かって変位した際に、第１被押圧部１１６Ａ1にかかる指に裏表紙１１６Ｂが圧接することがなくなる。よって、第１被押圧部１１６Ａ1と第２被押圧部１１６Ｂ1とは、それぞれ指で押圧しやすくなる。したがって、より確実に第１綴杆２０と第２綴杆３０とを開くことができる。
表表紙１１６Ａと裏表紙１１６Ｂとは、複数の貫通孔１１２が形成されている。複数の貫通孔１１２は、綴具１０の長手方向に直列して形成されている。複数の貫通孔１１２は、複数の第１綴杆２０及び複数の第２綴杆３０の間隔と同一の間隔を隔てて、直線状に並んでいる。複数の貫通孔１１２は、同一形状の孔の形状を有しており、貫通孔１１２の孔の、綴具１０の長手方向の長さは、第１綴杆２０及び第２綴杆３０の綴具１０の長手方向の幅より、若干長く形成されている。これにより、表表紙１１６Ａと裏表紙１１６Ｂとは、それぞれ、第１綴杆２０と第２綴杆３０とに貫挿しやすくなるとともに、第１被押圧部１１６Ａ1と第２被押圧部１１６Ｂ1とが指に押圧されることによって、表表紙１１６Ａと裏表紙１１６Ｂとが変位した長さに相当する長さで第１綴杆２０と第２綴杆３０とを変位することができる。
複数の貫通孔１１２は、貫通孔群１１２Ｇを形成する。
【００２８】
複数の第１綴杆２０は、第１綴杆群２０Ｇを形成する。複数の第２綴杆３０は、第２綴杆群３０Ｇを形成する。
第１綴杆群２０Ｇは、表表紙１１６Ａの貫通孔群１１２Ｇを貫挿する。第２綴杆群３０Ｇは、裏表紙１１６Ｂの貫通孔群１１２Ｇを貫挿する。
【００２９】
第２被押圧部１１６Ｂ1は、裏表紙１１６Ｂの綴具１０側隅部の右側端縁より、裏表紙１１６Ｂを第２綴杆３０の綴杆係止部３２を脱係する方向である左側に向けて、指で押圧することができる形状を備えた被押圧部材１１１６Ｂによって構成されている。
裏表紙１１６Ｂに形成されている複数の貫通孔１１２は、それぞれ側部１１２Ｓを有している。それぞれの貫通孔１１２の側部１１２Ｓは、裏表紙１１６Ｂの第２被押圧部１１６Ｂ1に指からかけられ押圧された力が裏表紙１１６Ｂにより伝達され、綴具１０の複数の第２綴杆３０の基部３０ａの側面を、長さ方向（綴具１０の長手方向）であって綴具１０を係止解除する方向にそれぞれ押圧する。これにより、第２綴杆３０の綴杆係止部３２は、第１綴杆２０の綴杆係止部２２から脱係するように、複数の第２綴杆３０は複数の第１綴杆２０との相対位置から変位する。
【００３０】
また、第１被押圧部１１６Ａ1の被押圧部材１１１６Ａは、表表紙１１６Ａと一体的に形成されていてもよい。例えば、表表紙１１６Ａ及び／又は裏表紙１１６Ｂの第１被押圧部１１６Ａ1及び／又は第２被押圧部１１６Ｂ1が、綴具１０の長手方向に向いて、表表紙１１６Ａ及び／又は裏表紙１１６Ｂの一端又は他端から延びるように、一体的に形成されていてもよい。第１被押圧部１１６Ａ1と表表紙１１６Ａとが一体的に形成されることにより、表表紙１１６Ａの貫通孔１１２近傍の剛性が、表表紙１１６Ａのそれ以外の部分の剛性より高くなる。これにより、複数の第１綴杆２０により構成される第１綴杆群２０Ｇを、表表紙１１６Ａの複数の貫通孔１１２で構成される貫通孔群１１２Ｇで、一体的に押圧することが可能となる。つまり、第１被押圧部１１６Ａ1を押圧することで、複数の第１綴杆２０を長さ方向（綴具１０の長手方向）に、より確実に押圧することができる。したがって、より確実に第１綴杆２０を開くことができる。
【００３１】
同様に、第２被押圧部１１６Ｂ1の被押圧部材１１１６Ｂは、裏表紙１１６Ｂと一体的に形成されていてもよい。第２被押圧部１１６Ｂ1と裏表紙１１６Ｂとが一体的に形成されることにより、裏表紙１１６Ｂの貫通孔１１２近傍の剛性が、裏表紙１１６Ｂのそれ以外の部分の剛性より高くなる。これにより、複数の第２綴杆３０により構成される第２綴杆群３０Ｇを、裏表紙１１６Ｂの複数の貫通孔１１２で構成される貫通孔群１１２Ｇで、一体的に押圧することが可能となる。つまり、第２被押圧部１１６Ｂ1を押圧することで、複数の第２綴杆３０を長さ方向（綴具１０の長手方向）に、より確実に押圧することができる。したがって、より確実に第２綴杆３０を開くことができる。
【００３２】
また、表表紙１１６Ａ及び／又は裏表紙１１６Ｂの貫通孔１１２近傍の剛性が、表表紙１１６Ａ及び／又は裏表紙１１６Ｂの貫通孔１１２近傍以外の部分の剛性よりも高くなるように構成されていてもよい。
例えば、表表紙１１６Ａと裏表紙１１６Ｂとが合成樹脂のポリプロピレンで形成されている場合には、貫通孔１１２近傍の厚みを０．６ｍｍで形成し、それ以外の部分の厚みを０．５ｍｍで形成してもよい。これにより、複数の第１綴杆２０により構成される第１綴杆群２０Ｇを、表表紙１１６Ａの複数の貫通孔１１２で構成される貫通孔群１１２Ｇで、一体的に押圧することが可能となる。同様に、複数の第２綴杆３０により構成される第２綴杆群３０Ｇを、裏表紙１１６Ｂの複数の貫通孔１１２で構成される貫通孔群１１２Ｇで、一体的に押圧することが可能となる。つまり、第１被押圧部１１６Ａ1を押圧することで、複数の第１綴杆２０を長さ方向（綴具１０の長手方向）に、より確実に押圧することができるとともに、第２被押圧部１１６Ｂ1を押圧することで、複数の第２綴杆３０を長さ方向（綴具１０の長手方向）に、より確実に押圧することができる。言い換えれば、指から綴具１０の長手方向であって綴具１０を開く向きにかけられた力が、より確実に綴具１０の第１綴杆２０と第２綴杆３０とに伝達され、より確実に第１綴杆２０と第２綴杆３０とを開くことができる。
【００３３】
綴具１０に綴じられ、表表紙１１６Ａと裏表紙１１６Ｂとの間に配設される用箋１１６Ｃは、表裏方向から見て、表表紙１１６Ａ及び裏表紙１１６ｂの形状と同一の形状に形成されている。用箋１１６は、貫通孔１１２（綴じ孔１１２）が、表表紙１１６Ａ及び裏表紙１１６ｂと同じ位置に同じ形状で、形成されている。用箋１１６Ｃは、貫通孔１１２の上側（帳面１０の高さ方向の上側）に綴じ代側端縁１１４を有しており、綴具１０は、綴じ代側端縁１１４を跨ぐように、用箋１１６Ｃの上側に位置して用箋１１６Ｃを綴じる。
用箋１１６Ｃには、表表紙１１６Ａ及び裏表紙１１６Ｂの第１切欠部１１６Ａ2、第２切欠部１１６Ｂ2、第３切欠部１１６Ａ3、第４切欠部１１６Ｂ3の形状と同一形状の切り欠きである用箋切欠部１１１６Ｃ1、１１１６Ｃ2が形成されている。用箋切欠部１１１６Ｃ1は、用箋１１６Ｃの綴具１０の長手方向の左側端に形成されている。用箋切欠部１１１６Ｃ2は、用箋１１６Ｃの綴具１０の長手方向の右側端に形成されている。
これにより、第１被押圧部１１６Ａ1が指に押圧されたことにより表表紙１１６Ａとともに用箋１１６Ｃが、連結部１４の中心に対して対称な位置にある第２被押圧部１１６Ｂ1に指をかけられている裏表紙１１６Ｂに向かって変位した際に、第２被押圧部１１６Ｂ1にかかる指に用箋１１６Ｃが圧接することがなくなる。同様に、第２被押圧部１１６Ｂ1が指に押圧されたことにより裏表紙１１６Ｂとともに用箋１１６Ｃが、連結部１４の中心に対して対称な位置にある第１被押圧部１１６Ａ1に指をかけられている表表紙１１６Ａに向かって変位した際に、第１被押圧部１１６Ａ1にかかる指に用箋１１６Ｃが圧接することがなくなる。よって、第１被押圧部１１６Ａ1と第２被押圧部１１６Ｂ1とは、それぞれ指で押圧しやすくなる。
【００３４】
以下においては、綴具１０と、綴具１０の変位体である表表紙１１６Ａと裏表紙１１６Ｂと、を用いて、綴具１０により綴じられている帳面のリーフを差し替える過程を説明する。
図１及び図３に示すように、帳面のリーフ１１０は、綴具１０により、表表紙１１６Ａと用箋１１６Ｃと裏表紙１１６Ｂとが一体的に綴じられている。帳面の使用されている状態は、表表紙１１６Ａを、表表紙１１６Ａに形成された複数の貫通孔１１２を貫挿する複数の綴杆２０の半綴杆２０Ａに沿って、３６０度捲りかえし、図２及び図４に示す状態となる。つまり、表表紙１１６Ａを、綴杆に沿って裏表紙１１６Ｂの側まで回転させる。図２及び図４に示す状態では、表側から見て、用箋１１６Ｃが配設され、次に裏表紙１１６Ｂが配設され、その裏側に表表紙１１６Ａが配設される。
この図２及び図４に示す状態において、リーフのうちの用箋１１６Ｃを、差し入れる又は抜き出すためには、綴具１０の綴杆部１２、つまり第１綴杆２０と第２綴杆３０とを開く必要がある。
【００３５】
第１綴杆２０と第２綴杆３０とを開くために、表表紙１１６Ａの第１被押圧部１１６Ａ1と裏表紙１１６Ｂの第２被押圧部１１６Ｂ1とに、例えば図１２に示すように左手の親指と人差し指とをかける。左手の親指と人差し指とから、図９（Ａ）に示すように、表表紙１１６Ａの第１被押圧部１１６Ａ1と裏表紙１１６Ｂの第２被押圧部１１６Ｂ1とに、綴具１０の長手方向（帳面の幅方向）に対向する力であって互いに近づく方向に向いた力がかけられ押圧される。表表紙１１６Ａと裏表紙１１６Ｂとは、軸部１６に挿通されたコイルバネ１７によって、綴具１０の長手方向（帳面の幅方向）に対向する力であって互いに対向し離れる方向に付勢されている。したがって、左手の親指と人差し指とは、そのコイルバネ１７による弾性力に抗う力で、表表紙１１６Ａの第１被押圧部１１６Ａ1と裏表紙１１６Ｂの第２被押圧部１１６Ｂ1とを押圧することによって、表表紙１１６Ａと裏表紙１１６Ｂとは第１綴杆２０と第２綴杆３０とを開く方向に変位することが可能となる。
【００３６】
左手の親指と人差し指とが、表表紙１１６Ａの第１被押圧部１１６Ａ1と裏表紙１１６Ｂの第２被押圧部１１６Ｂ1とを当該力で押圧する際、それぞれの指は、図１２に示すように、第１被押圧部１１６Ａ1を構成する被押圧部材１１１６Ａの指当接部１１１６Ａａと第２被押圧部１１６Ｂ1を構成する被押圧部材１１１６Ｂの指当接部１１１６Ｂａとに、当接し力をかけ押圧する。指当接部１１１６Ａａが押圧された力は、Ｌ字角部１１１６Ａｃから表紙固定部１１１６Ａｂを経て、表表紙１１６Ａに伝達される。表表紙１１６Ａは、被押圧部材１１１６Ａの剛性と表紙固定部１１１６Ａｂが表表紙１１６Ａに溶着していることとが相まって、一定の剛性を有しているため、表表紙１１６Ａに伝達された力は、図１０（Ｂ）に示すように、表表紙１１６Ａの複数の貫通孔１１２の全てに伝達される。複数の貫通孔１１２が有する貫通孔の側部１１２Ｓは、複数の第１綴杆２０の半綴杆２０Ａの中程に当接し押圧していく。複数の貫通孔１１２と複数の第１綴杆２０とは、同一の間隔で綴具の長手方向に直列しているため、表表紙１１６Ａの複数の貫通孔の側部１１２Ｓは、同時に、全ての複数の第１綴杆２０の半綴杆２０Ａに当接し押圧していく。同様に、指当接部１１１６Ｂａが押圧された力は、Ｌ字角部１１１６Ｂｃから表紙固定部１１１６Ｂｂを経て、裏表紙１１６Ｂに伝達される。裏表紙１１６Ｂは、被押圧部材１１１６Ｂの剛性と表紙固定部１１１６Ｂｂが表表紙１１６Ｂに溶着していることとが相まって、一定の剛性を有しているため、裏表紙１１６Ｂに伝達された力は、裏表紙１１６Ａの複数の貫通孔１１２の全てに伝達される。複数の貫通孔１１２が有する貫通孔の側部１１２Ｓは、複数の第２綴杆３０の半綴杆３０Ａの中程に当接し押圧していく。複数の貫通孔１１２と複数の第２綴杆３０とは、同一の間隔で綴具の長手方向に直列しているため、裏表紙１１６Ｂの複数の貫通孔の側部１１２Ｓは、同時に、全ての複数の第２綴杆３０の半綴杆３０Ａに当接し押圧していく。つまり、第１綴杆群２０Ｇは表表紙１１６Ａの貫通孔群１１２Ｓに押圧され、第２綴杆群３０Ｇは裏表紙１１６Ｂの貫通孔群１１２Ｓに押圧される。
【００３７】
これによって、図９（Ｂ）及び図１０（Ｃ）に示すように、表表紙１１６Ａ側に位置する複数の第１綴杆２０は、綴具１０の長手方向の右向きに変位し、裏表紙１１６Ｂ側に位置する複数の第２綴杆３０は、綴具１０の長手方向の左向きに変位する。これにより、複数の第１綴杆２０の綴杆係止部２２と複数の第２綴杆３０の綴杆係止部３２とは、脱係する。
つまり、対向する一方の複数の綴杆は、同時に、綴具の長手方向に変位させ且つ対向する他方の複数の綴杆の綴杆係止部から、脱係する。また、言い換えると、第１被押圧部１１６Ａ及び／又は前記第２被押圧部１１６Ｂを、綴具１０の長手方向であって互いに向かって変位させるように押圧することによって、変位体の貫通孔１１２の側部１１２Ｓによって、綴杆を押圧し、前記一方の綴杆と他方の綴杆との相対位置を変位させて、綴杆係止部２２、３２を脱係させる
【００３８】
綴杆係止部２２と綴杆係止部３２とが脱係した後、親指と人差し指で軽く表裏方向に力をかけると、コイルバネ１７による弾性力によって、第１連結部５０と第２連結部６０とを通じて、複数の第１綴杆２０と複数の第２綴杆３０とは、綴具の長手方向の変位前の位置、つまり、複数の第１綴杆２０と複数の第２綴杆３０とが対向する位置に戻りながら、表裏方向に開く（図９（Ｃ）及び図１２参照）。
これによって、綴具１０は係止解除され開いた状態となり、帳面のリーフ１１０は差し入れ又は取り出し、差し替えることができる。
【００３９】
リーフ１１０を差し替えた後は、複数の第１綴杆２０と複数の第２綴杆３０とを、表裏方向に綴じると、第１綴杆２０の綴杆係止部２２と第２綴杆３０の綴杆係止部３２とが、再度、係止し、綴具１０は略円環状の綴杆部１２を有した状態となる。そして、衣服のポケット又は鞄等に入れて携帯することが可能となる。
したがって、綴具１０の変位体である表表紙１１６Ａ及び／又は裏表紙１１６ｂによれば、帳面の携帯性を損ねることなく、綴具のリーフの差し替えをし易くするために綴杆を開き易くすることができる。
【００４０】
次に、本発明に係る綴具の変位体の変形例を示す。
図１３に示すように、表表紙１１６Ａ及び裏表紙１１６Ｂには、綴具の長手方向（帳面の幅方向）の側端に切り欠きが形成されていなくても、指当接部１１１６Ａａ及び指当接部１１１６Ｂａが側端から帳面の幅方向に突出するように被押圧部材１１１６Ａ及び被押圧部材１１１６Ｂが設けられることで、第１被押圧部１１６Ａ1及び第２被押圧部１１６Ｂ1が外側に突出しているように、綴具１０の変位体は構成されていてもよい。
この場合には、第１被押圧部１１６Ａ1及び第２被押圧部第１被押圧部１１６Ｂ1に指がかけられ、表表紙１１６Ａ及び裏表紙１１６Ｂが綴具の長手方向に変位しても、第１被押圧部１１６Ａ1及び第２被押圧部第１被押圧部１１６Ｂ1にかけられた指に表表紙１１６Ａ及び裏表紙１１６Ｂが圧接することはない。このため、この綴具の変位体によれば、帳面の携帯性を損ねることなく、綴具１０のリーフ１１０の差し替えをし易くするために第１綴杆２０と第２綴杆３０とを開き易くすることができる。
【００４１】
図１４及び図１５に示すように、被押圧部材１１１６Ａ、１１１６Ｂの表紙固定部１１１６Ａｂ、１１１６Ｂｂが綴具の長手方向（帳面の幅方向）に、表表紙１１６Ａ及び裏表紙１１６Ｂの一端又は他端から延びるように形成された矩形であって、端縁から内側に貫通孔１１２の略２孔相当の長さに延びていてもよい。これにより、被押圧部材１１１６Ａ、１１１６Ｂの剛性と、表紙固定部１１１６Ａｂ、１１１６Ｂｂが表表紙１１６Ａ及び裏表紙１１６Ｂに溶着していることと、表表紙１１６Ａ及び裏表紙１１６Ｂの剛性と、が相まって、表表紙１１６Ａ及び裏表紙１１６Ｂの剛性がより高まる。したがって、この綴具の変位体によれば、帳面の携帯性を損ねることなく、綴具のリーフの差し替えをし易くするために綴杆を開き易くすることができる。
【００４２】
図１６に示すように、被押圧部材１１１６Ａ、１１１６Ｂの表紙固定部１１１６Ａｂ、１１１６Ｂｂが綴具の長手方向（帳面の幅方向）に、表表紙１１６Ａ及び裏表紙１１６Ｂの一端又は他端から延びるように形成された矩形であって、帳面の幅の長さより若干長い程度の長さに延びていてもよい。これにより、被押圧部材１１１６Ａ、１１１６Ｂの剛性と、表紙固定部１１１６Ａｂ、１１１６Ｂｂが表表紙１１６Ａと裏表紙１１６Ｂとに溶着していることと、表表紙１１６Ａ及び裏表紙１１６Ｂの剛性と、が相まって、表表紙１１６Ａ及び裏表紙１１６Ｂの剛性がより高まる。したがって、この綴具の変位体によれば、帳面の携帯性を損ねることなく、綴具のリーフの差し替えをし易くするために綴杆を開き易くすることができる。
【００４３】
第１綴杆２０綴杆係止部２２は、第１綴杆２０の基部２０ａ近傍又は連結部１４に設けられていてもよい。同様に、第２綴杆３０綴杆係止部３２は、第２綴杆３０の基部３０ａ近傍又は連結部１４に設けられていてもよい。この場合においても、第１被押圧部１１６Ａ1及び／又は第２被押圧部１１６Ｂ1を、綴具１０の長手方向であって互いに向かって変位させるように押圧することによって、変位体の貫通孔１１２の側部１１２Ｓによって、綴杆を押圧し、一方の綴杆と他方の綴杆との相対位置を変位させて、綴杆係止部２２、３２を脱係させることができる。したがって、この綴具の変位体によれば、帳面の携帯性を損ねることなく、綴具のリーフの差し替えをし易くするために綴杆を開き易くすることができる。
【００４４】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【００４５】
１０    綴具
１２    綴杆部
１４    連結部
１６    軸部
１８Ａ  第１綴具部材
１８Ｂ  第２綴具部材
２０    第１綴杆
２０Ｇ  第１綴杆群
３０    第２綴杆
３０Ｇ  第２綴杆群
２０ａ，３０ａ  基部
２０ｂ，３０ｂ  自由端
２０Ａ，３０Ａ  半割杆
２２    第１綴杆の綴杆係止部
３２    第２綴杆の綴杆係止部
２４    第１綴杆の凸部
３４    第２綴杆の凸部
２６    第１綴杆の凹部
３６    第２綴杆の凹部
２８，３８  脱係防止部
５０    第１連結部
６０    第２連結部
５２    第１連結部の外側部
６２    第２連結部の外側部
５４    第１連結部の上側部
６４    第２連結部の上側部
５６    第１連結部の対向部
６６    第２連結部の対向部
５８    第１連結部の下側部
６８    第２連結部の下側部
１１０  リーフ
１１０ａ  リーフの表側
１１０ｂ  リーフの裏側
１１２  貫通孔（綴じ穴）
１１２Ｇ  貫通孔群
１１２Ｓ  貫通孔の側部
１１４  綴じ代側端縁
１１６Ａ  表表紙
１１６Ａ1  第１被押圧部
１１１６Ａ  被押圧部材
１１１６Ａａ  指当接部
１１１６Ａｂ  表紙固定部
１１１６Ａｃ  Ｌ字角部
１１６Ａ2  第１切欠部
１１６Ｂ  裏表紙
１１６Ｂ1  第２被押圧部
１１１６Ｂ  被押圧部材
１１１６Ｂａ  指当接部
１１１６Ｂｂ  表紙固定部
１１１６Ｂｃ  Ｌ字角部
１１６Ｂ2  第２切欠部
１１６Ｃ  用箋
１１１６Ｃ1  用箋切欠部
１１１６Ｃ2  用箋切欠部
【図１】
2018058319.tif 000003
【図２】
2018058319.tif 000004
【図３】
2018058319.tif 000005
【図４】
2018058319.tif 000006
【図５】
2018058319.tif 000007
【図６】
2018058319.tif 000008
【図７】
2018058319.tif 000009
【図８】
2018058319.tif 000010
【図９】
2018058319.tif 000011
【図１０】
2018058319.tif 000012
【図１１】
2018058319.tif 000013
【図１２】
2018058319.tif 000014
【図１３】
2018058319.tif 000015
【図１４】
2018058319.tif 000016
【図１５】
2018058319.tif 000017
【図１６】
2018058319.tif 000018
【図１７】
2018058319.tif 000019